(57)【要約】【課題】送出信号が相手先の通信端末装置においてオーバーレンジを起こすことを防止して安定なファクシミリ通信を行う。【解決手段】主制御部１は、ファクシミリ送受信において、相手先のファクシミリ装置から受信された受信信号レベルを測定し、測定された受信信号レベルと送出信号レベルとの差に基づいて送出信号レベルを決定し、決定された送出信号レベルを有する信号を送出するように制御する。主制御部１は、測定された受信信号レベルと送出信号レベルとの差が所定のしきい値以下であるとき、送出信号レベルを上げるように制御する。また、主制御部１は、測定された受信信号レベルと送出信号レベルとの差が所定のしきい値以上であるとき、送出信号レベルを下げるように制御する。【選択図】図２
2008306640.tif 000002
【特許請求の範囲】
【請求項１】
ファクシミリ送受信において、相手先の通信端末装置から受信された受信信号レベルを測定し、前記測定された受信信号レベルと送出信号レベルとの差に基づいて送出信号レベルを決定し、前記決定された送出信号レベルを有する信号を送出するように制御する制御手段を備えたことを特徴とする通信端末装置。
【請求項２】
前記制御手段は、前記差が前記所定のしきい値以下であるとき、前記送出信号レベルを上げるように制御することを特徴とする請求項１記載の通信端末装置。
【請求項３】
前記制御手段は、前記差が前記所定のしきい値以上であるとき、前記送出信号レベルを下げるように制御することを特徴とする請求項１又は２記載の通信端末装置。
【請求項４】
前記制御手段は、ファクシミリ送受信において、画像データの送受信を行うよりも前に前記送出信号レベルを決定し、ファクシミリ送受信を終了するまで前記決定された送出信号レベルを用いることを特徴とする請求項１乃至３のうちのいずれか１つに記載の通信端末装置。
【発明の詳細な説明】
【技術分野】
【０００１】
本発明は、例えば、ファクシミリ装置等の通信端末装置に関する。
【背景技術】
【０００２】
例えばインターネット等のインターネットプロトコルを用いて通信を行うネットワーク（以下、ＩＰ網という。）を介して通信するインターネットプロトコル電話（以下、ＩＰ電話という。）が普及しつつある。ファクシミリ通信において、一般的に、送出信号レベル及び受信信号レベルは、各機器で設定された値で動作しているが、ＩＰ網を介してファクシミリ通信する場合、回線切断等により通信エラーが多発するため、予め設定された送出信号レベルを有する信号を送出しても安定した通信ができないことがあった。
【０００３】
特許文献１に記載の従来例１に係る通信装置は、ファクシミリオフフックリレーとチョークコイルや回線電流検出器との間に、補正回路を設け、例えばファクシミリセンターからのテスト送信を受信して、その信号を回線モニタにより計測し、この計測結果から基底のノイズを差引いた値を計測信号とする。一方で、信号品質の劣化が無い場合の計測信号を回線モニタの能力に合わせて理想データとして予め記憶しておき、計測したデータと理想データとを信号レベル、信号時間について比較し、信号レベルが高すぎる場合はゲインを下げ、低すぎる場合はゲインをあげるように補正回路で補正する。
【０００４】
特許文献２に記載の従来例２に係る通信端末装置は、宛先毎にＩＰ網経由のファクシミリ通信であるか否かを含む短縮番号テーブルを格納するＲＡＭを備える。主制御部は、短縮番号テーブルに基づいてＩＰ網経由のファクシミリ通信であることを判断したとき、送出するファクシミリ信号のレベルを所定のレベルだけ上げて設定して送信し、所定の伝送速度以下に制限してファクシミリ通信するなどのＩＰ網対策処理を実行するように制御する。
【０００５】
【特許文献１】特開２００３−４６６００号公報。
【特許文献２】特開２００６−５００６６号公報。
【発明の開示】
【発明が解決しようとする課題】
【０００６】
しかしながら、従来例１に係る通信装置及び従来例２に係る通信端末装置において、ＩＰ網を介してファクシミリ通信する場合、送出された信号は、ターミナルアダプタやゲートウェイ内でレベルが減衰されて適正なレベルとなるが、送出信号レベルが大きすぎる場合、減衰が十分でなく、結果として相手先のファクシミリ装置において信号がオーバーレンジを起こす可能性があるという問題点があった。
【０００７】
本発明の目的は以上の問題点を解決し、送出信号が相手先の通信端末装置においてオーバーレンジを起こすことを防止して安定なファクシミリ通信を行うことができるファクシミリ装置等の通信端末装置を提供することにある。
【課題を解決するための手段】
【０００８】
本発明に係る通信端末装置は、ファクシミリ送受信において、相手先の通信端末装置から受信された受信信号レベルを測定し、前記測定された受信信号レベルと送出信号レベルとの差に基づいて送出信号レベルを決定し、前記決定された送出信号レベルを有する信号を送出するように制御する制御手段を備えたことを特徴とする。
【０００９】
上記通信端末装置において、前記制御手段は、前記差が前記所定のしきい値以下であるとき、前記送出信号レベルを上げるように制御することを特徴とする。
【００１０】
また、上記通信端末装置において、前記制御手段は、前記差が前記所定のしきい値以上であるとき、前記送出信号レベルを下げるように制御することを特徴とする。
【００１１】
さらに、上記通信端末装置において、前記制御手段は、ファクシミリ送受信において、画像データの送受信を行うよりも前に前記送出信号レベルを決定し、ファクシミリ送受信を終了するまで前記決定された送出信号レベルを用いることを特徴とする。
【発明の効果】
【００１２】
本発明に係るファクシミリ装置によれば、受信信号レベルと送出信号レベルとの差に基づいて送出信号レベルを決定するので、適切な送出信号レベルを有する信号を送出することができ、送出信号が相手先の通信端末装置においてオーバーレンジを起こすことを防止して安定なファクシミリ通信が可能になるという有利な効果を奏する。
【発明を実施するための最良の形態】
【００１３】
以下、本発明に係る実施形態について図面を参照して説明する。なお、以下の各実施形態において、同様の構成要素については同一の符号を付している。
【００１４】
実施形態．
図１は、本発明に係る実施形態である、ＩＰ網対策機能を有するファクシミリ装置２０の構成を示すブロック図である。本実施形態に係るファクシミリ装置２０において、主制御部１は、ファクシミリ送受信において、相手先のファクシミリ装置から受信された受信信号レベルを測定し、測定された受信信号レベルと送出信号レベルとの差に基づいて送出信号レベルを決定し、決定された送出信号レベルを有する信号を送出するように制御する（図２のステップＳ１５、Ｓ１６及びＳ１７、図３のステップＳ３４、Ｓ３５及びＳ３６）。ここで、主制御部１は、測定された受信信号レベルと送出信号レベルとの差が所定のしきい値以下であるとき、送出信号レベルを上げるように制御する（図２のステップＳ１５及びＳ１６、図３のステップＳ３４及びＳ３５）。また、主制御部１は、測定された受信信号レベルと送出信号レベルとの差が所定のしきい値以上であるとき、送出信号レベルを下げるように制御する（図２のステップＳ１５及びＳ１７、図３のステップＳ３４及びＳ３６）。さらに、主制御部１は、ファクシミリ送受信において、画像データの送受信を行うよりも前に送出信号レベルを決定し、ファクシミリ送受信を終了するまで決定された送出信号レベルを用いる（図２のステップＳ１５、Ｓ１６及びＳ１７、図３のステップＳ３４、Ｓ３５及びＳ３６）。
【００１５】
図１において、ファクシミリ装置２０は、主制御部（ＣＰＵ）１と、画像読取部２と、画像記録部３と、表示部４と、操作部５と、ＲＯＭ６と、ＲＡＭ７と、画像メモリ８と、ファックスモデム１０と、ＮＣＵ（ネットワーク制御回路：Network Control Unit）１１とを備えて構成され、上記各構成要素１乃至１１は、バス１３を介して互いに接続されている。ＮＣＵ１１は、公衆電話回線Ｌを介して相手先のファクシミリ装置と接続されている。
【００１６】
ファクシミリ装置２０は、従来のＧ３方式等のファクシミリ通信機能を備えるとともに、ＩＰ網対策機能を備えている。主制御部１は具体的にはＣＰＵ（中央処理装置：Central Processing Unit）で構成されており、バス１３を介して以下のハードウェア各部と接続されていてそれらを制御するほか、後述する種々のソフトウェアの機能を実行する。
【００１７】
画像読取部２は、ＣＣＤ等を利用したスキャナで原稿を読み取り、白黒２値に変更したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態の表示や、送信すべき原稿のイメージデータ及び受信したイメージデータの表示を行う。
【００１８】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１９】
ＲＯＭ６は、当該ファクシミリ装置２０の動作に必要であって主制御部１によって実行される種々のソフトウェアのプログラムを予め格納し、ここで、当該プログラムは、少なくとも図２のファクシミリ送信処理のプログラム及び図３のファクシミリ受信処理のプログラムを含む。ＲＡＭ７（Random Access Memory）は、ＳＲＡＭ（Static Random Access Memory）又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ（Dynamic Random Access Memory）等で構成され、送信すべきイメージデータ又は受信したイメージデータを記憶する。なお、ＲＡＭ７及び画像メモリ８をハードディスクメモリで構成してもよい。
【００２０】
ファックスモデム１０は、ＮＣＵ１１を介して公衆電話回線Ｌに接続され、通常のファクシミリ通信用のファックスモデムの機能を有するモデムであり、ＦＳＫ信号（周波数シフトキーイング信号）として受信される発信電話番号情報のデータを復調して主制御部１に出力する。ＮＣＵ１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ＩＳＤＮ回線等のベースバンド伝送方式のデジタル回線に接続するようにしてもよい。
【００２１】
以上のように構成された本実施形態のファクシミリ装置２０は、通常のＧ３方式等のファクシミリ通信機能に加えて、ＩＰ網対策機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００２２】
図２は、図１のファクシミリ装置２０の主制御部１によって実行されるファクシミリ送信処理を示すフローチャートである。
【００２３】
図２のステップＳ１０において、主制御部１は、まず、ファクシミリ送信のイベントが発生したか否かを判断し、ＹＥＳのときはステップＳ１１に進む一方、ＮＯのときはステップＳ１０に戻って処理を繰り返す。ステップ１１において、回線を閉結した後、ステップＳ１２において、送信先のファクシミリ装置にダイヤル信号を送信し、ステップＳ１３に進む。ステップＳ１３において、送信先のファクシミリ装置からのＣＥＤ（Called Terminal Identification）信号を受信したか否かを判断し、ＹＥＳのときはステップＳ１４に進む一方、ＮＯのときはステップＳ１３に戻って処理を繰り返す。ステップＳ１４において、ＣＥＤ信号の受信信号レベルを測定した後、ステップＳ１５に進む。
【００２４】
ステップＳ１５において、受信信号レベルと現在設定されている送出信号レベルとの差が、上限しきい値及び下限しきい値によって決定される所定のしきい値範囲内であるか、上限しきい値以上であるか、若しくは下限しきい値以下であるかを調べ、しきい値範囲内であるときはステップＳ１８に進み、上限しきい値以上であるときはステップＳ１６に進み、下限しきい値以下であるときはステップＳ１７に進む。なお、ここで、上記差が所定のしきい値範囲内であるとは、上記差が上限しきい値より低くかつ下限しきい値よりも高い場合をいう。ステップＳ１５で受信信号レベルと送出信号レベルとの差が上限しきい値以上であると判断された場合、相手先のファクシミリ装置に信号が届いたときに信号がオーバーレンジを起こす可能性があるため、ステップＳ１６において、送出信号レベルを例えば２〜３ｄＢだけ下げるように設定を変更した後、ステップＳ１８に進む。これにより、相手先のファクシミリ装置に信号が届いたときに信号がオーバーレンジを起こすことを防止する。ステップＳ１５において受信信号レベルと送出信号レベルとの差が下限しきい値以下であると判断された場合、相手先のファクシミリ装置に信号が届いたときに信号レベルが減衰されて受信されない可能性があるので、ステップＳ１７において、送出信号レベルを例えば２〜３ｄＢだけ上げるように設定を変更した後、ステップＳ１８に進む。これにより、相手先のファクシミリ装置に信号が届いたときに信号レベルが減衰されて受信されないことを防止する。ステップＳ１８において、相手先のファクシミリ装置にＤＣＳ信号等を送出し、ステップＳ１９において、通常ファクシミリ送信処理を行う。なお、ステップＳ１７又はＳ１８において一旦決定された送出信号レベルは、ファクシミリ送信処理の途中で変更されることなく、ファクシミリ送信処理が終了するまで用いられる。そうすることにより、送出信号レベルの頻繁な変更によって通信が正常に行えなくなることを防止するという効果がある。ステップＳ２０において、回線を開放して、当該ファクシミリ送信処理を終了する。
【００２５】
なお、例えばいわゆるスーパーＧ３モードで用いるＩＴＵ勧告Ｖ．８通信手順で上記ファクシミリ送信処理を行うときは、別の受信信号のレベルを測定してもよい。
【００２６】
図３は、図１のファクシミリ装置２０の主制御部１によって実行されるファクシミリ受信処理を示すフローチャートである。
【００２７】
図３のステップ３０において、主制御部１は、まず、着信があったか否かを判断し、ＹＥＳのときはステップＳ３１に進む一方、ＮＯのときはステップＳ３０に戻って処理を繰り返す。ステップＳ３１において、回線を閉結した後、ステップＳ３２に進む。ステップＳ３２において、相手先のファクシミリ装置からＣＮＧ（Calling Tone）信号を受信したか否かを判断し、ＹＥＳのときはステップＳ３３に進む一方、ＮＯのときはステップＳ３２に戻って処理を繰り返す。ステップＳ３３において、ＣＮＧ信号の受信信号レベルを測定した後、ステップＳ３４に進む。
【００２８】
ステップＳ３４において、受信信号レベルと送出信号レベルとの差が、上限しきい値及び下限しきい値によって決定されるしきい値範囲内であるか、上限しきい値以上であるか、若しくは下限しきい値以下であるかを調べ、しきい値範囲内であるときはステップＳ３７に進み、上限しきい値以上であるときはステップＳ３５に進み、下限しきい値以下であるときはステップＳ３６に進む。なお、ここで、上記差が所定のしきい値範囲内であるとは、上記差が上限しきい値より低くかつ下限しきい値よりも高い場合をいう。ステップＳ３５において、送出信号レベルを例えば２〜３ｄＢだけ下げるように設定を変更した後、ステップＳ３７に進む。これにより、相手先のファクシミリ装置に信号が届いたときに信号がオーバーレンジを起こすことを防止する。ステップＳ３６において、送出信号レベルを例えば２〜３ｄＢだけ上げるように設定を変更した後、ステップＳ３７に進む。これにより、相手先のファクシミリ装置に信号が届いたときに信号レベルが減衰されて受信されないことを防止する。ステップＳ３７において、相手先のファクシミリ装置にＣＥＤ信号を送出し、ステップＳ３８において、通常ファクシミリ受信処理を行う。なお、ステップＳ３５又はＳ３６において一旦決定された送出信号レベルは、ファクシミリ受信処理の途中で変更されることなく、ファクシミリ受信処理が終了するまで用いられる。そうすることにより、送出信号レベルの頻繁な変更によって通信が正常に行えなくなることを防止するという効果がある。ステップＳ３９において、回線を開放して、当該ファクシミリ受信処理を終了する。
【００２９】
なお、それぞれ図２及び図３に示したファクシミリ送信処理及びファクシミリ受信処理において、受信信号レベルと送出信号レベルとの差は、上限しきい値及び下限しきい値の２つのしきい値と比較された。しかし、本発明はこの構成に限らず、受信信号レベルと送出信号レベルとの差は、１つ又は３つ以上のしきい値と比較されてもよい。
【００３０】
以上説明したように、本実施形態に係るファクシミリ装置２０によれば、主制御部１は、ファクシミリ送受信において、相手先のファクシミリ装置から受信された受信信号レベルを測定し、測定された受信信号レベルと送出信号レベルとの差に基づいて送出信号レベルを決定し、決定された送出信号レベルを有する信号を送出するように制御する（図２のステップＳ１５、Ｓ１６及びＳ１７、図３のステップＳ３４、Ｓ３５及びＳ３６）。ここで、主制御部１は、測定された受信信号レベルと送出信号レベルとの差が所定のしきい値以下であるとき、送出信号レベルを上げるように制御する（図２のステップＳ１５及びＳ１６、図３のステップＳ３４及びＳ３５）。また、主制御部１は、測定された受信信号レベルと送出信号レベルとの差が所定のしきい値以上であるとき、送出信号レベルを下げるように制御する（図２のステップＳ１５及びＳ１７、図３のステップＳ３４及びＳ３６）。さらに、主制御部１は、ファクシミリ送受信において、画像データの送受信を行うよりも前に送出信号レベルを決定し、ファクシミリ送受信を終了するまで決定された送出信号レベルを用いる（図２のステップＳ１５、Ｓ１６及びＳ１７、図３のステップＳ３４、Ｓ３５及びＳ３６）。従って、受信信号レベルと送出信号レベルとの差に基づいて送出信号レベルを決定するので、適切な送出信号レベルを有する信号を送出することができ、送出信号が相手先の通信端末装置においてオーバーレンジを起こすことを防止するとともに、相手先の通信端末装置に信号が届いたときに信号レベルが減衰されて受信されないことを防止する安定なファクシミリ通信が可能になる。
【産業上の利用可能性】
【００３１】
以上詳述したように、本発明に係る通信端末装置によれば、受信信号レベルと送出信号レベルとの差に基づいて送出信号レベルを決定するので、適切な送出信号レベルを有する信号を送出することができ、送出信号が相手先の通信端末装置においてオーバーレンジを起こすことを防止して安定なファクシミリ通信が可能になる。
【図面の簡単な説明】
【００３２】
【図１】本発明に係る実施形態であるファクシミリ装置２０の構成を示すブロック図である。
【図２】図１のファクシミリ装置２０の主制御部１によって実行されるファクシミリ送信処理を示すフローチャートである。
【図３】図１のファクシミリ装置２０の主制御部１によって実行されるファクシミリ受信処理を示すフローチャートである。
【符号の説明】
【００３３】
１…主制御部（ＣＰＵ）、
２…画像読取部、
３…画像記録部、
４…表示部、
５…操作部、
６…ＲＯＭ、
７…ＲＡＭ、
８…画像メモリ、
１０…ファックスモデム、
１１…ＮＣＵ、
１３…バス、
２０…ファクシミリ装置。
【図１】
2008306640.tif 000003
【図２】
2008306640.tif 000004
【図３】
2008306640.tif 000005